(57)【要約】【課題】払拭具が清掃面に密着するのを防止して、払拭具で清掃面を円滑に払拭できるようにすること。【解決手段】本発明では、モップの柄の下端に左右に伸延させた状態で配設した多孔質状の払拭具において、塊状の払拭具本体の外周部に前後方向に向けて起倒する複数の払拭片を前後に間隔をあけて形成することにした。また、本発明では、左右に伸延させた多孔質状の払拭具を下端に配設したモップにおいて、払拭具は、塊状の払拭具本体の外周部に前後方向に向けて起倒する複数の払拭片を前後に間隔をあけて形成することにした。【選択図】図６
2008113871.tif 000002
【特許請求の範囲】
【請求項１】
モップの柄の下端に左右に伸延させた状態で配設した多孔質状の払拭具において、
塊状の払拭具本体の外周部に前後方向に向けて起倒する複数の払拭片を前後に間隔をあけて形成したことを特徴とする払拭具。
【請求項２】
左右に伸延させた多孔質状の払拭具を下端に配設したモップにおいて、
払拭具は、塊状の払拭具本体の外周部に前後方向に向けて起倒する複数の払拭片を前後に間隔をあけて形成したことを特徴とするモップ。
【発明の詳細な説明】
【技術分野】
【０００１】
本発明は、モップの柄の下端に左右に伸延させた状態で配設した多孔質状の払拭具に関するものである。
【背景技術】
【０００２】
従来より、柄の下端に左右に伸延させた状態で多孔質状の払拭具を配設したモップが使用されている。
【０００３】
この従来のモップでは、断面略半円弧型の塊状のスポンジ製の払拭具が用いられている（たとえば、特許文献１参照。）。
【０００４】
【特許文献１】特許第３１１１１２６号公報
【発明の開示】
【発明が解決しようとする課題】
【０００５】
ところが、上記従来のモップでは、断面略半円弧型の塊状の払拭具を用いていたために、清掃時に塊状の払拭具が床面や壁面などの清掃面に密着してしまい、払拭具と清掃面との間の摩擦が大きく、清掃面を払拭具で円滑に払拭することができなかった。
【課題を解決するための手段】
【０００６】
そこで、請求項１に係る本発明では、モップの柄の下端に左右に伸延させた状態で配設した多孔質状の払拭具において、塊状の払拭具本体の外周部に前後方向に向けて起倒する複数の払拭片を前後に間隔をあけて形成することにした。
【０００７】
また、請求項２に係る本発明では、左右に伸延させた多孔質状の払拭具を下端に配設したモップにおいて、払拭具は、塊状の払拭具本体の外周部に前後方向に向けて起倒する複数の払拭片を前後に間隔をあけて形成することにした。
【発明の効果】
【０００８】
そして、本発明では、以下に記載する効果を奏する。
【０００９】
すなわち、本発明では、塊状の払拭具本体の外周部に前後方向に向けて起倒する複数の払拭片を前後に間隔をあけて形成しているために、清掃時に払拭片が起立状態から前後に傾倒した状態に変形し、前後の払拭片同士の間に清掃面と密着しない間隙が形成されることになり、従来の塊状の払拭具に比べて払拭具と清掃面との間の摩擦が小さくなって、清掃面を払拭具で円滑に払拭することができる。
【発明を実施するための最良の形態】
【００１０】
以下に、本発明に係るモップの具体的な構成について図面を参照しながら説明する。
【００１１】
図１〜図３に示すように、モップ１は、棒状の柄２の下端に左右一対の支持体3,4を開閉機構５を介して左右に開閉自在に取付け、この支持体3,4に可撓性及び吸水性を有する多孔質状の払拭具６を左右に伸延させた状態で着脱自在に取付けるとともに、支持体3,4に操作具７を操作機構８を介して連動連結している。
【００１２】
開閉機構５は、柄２の下端に正面視で逆Ｔ字状の保護カバー９を取付け、この保護カバー９の左右端部にリンク片10,11の基端部を左右回動自在に取付け、このリンク片10,11の中途部に支持体3,4の外側端部を長孔12,13を介して回動自在に連動連結している。
【００１３】
操作機構８は、柄２の中途部に操作具７の基端部を上下回動自在に取付け、この操作具７の中途部に左右一対の操作リンク14,15の基端部を回動自在に取付け、この操作リンク14,15の中途部を柄２の下端部で摺動自在に支持するとともに、操作リンク14,15の先端部に連動体16の上端部を取付け、さらに、この連動体16の下端部に支持体3,4の内側端部を回動自在に連動連結している。
【００１４】
そして、モップ１は、操作機構８の操作具７を下方に向けて回動させると、それに連動して操作リンク14,15が下方に向けて移動するとともに、開閉機構５のリンク片10,11の作用で左右の支持体3,4が下方に向けて回転し、図２に示すように、左右の支持体3,4が左右横一直線状に開放状態となり、これによって、払拭具６を直線状に保持する清掃姿勢となる。
【００１５】
一方、モップ１は、操作機構８の操作具７を上方に向けて回動させると、それに連動して操作リンク14,15が上方に向けて移動するとともに、開閉機構５のリンク片10,11の作用で左右の支持体3,4が上方に向けて回転し、図４に示すように、左右の支持体3,4が対向して閉塞状態となり、これによって、払拭具６を中心部で折曲することによって圧縮脱水する脱水姿勢となる。
【００１６】
このように、モップ１は、操作具７を操作することによって、図２に示す清掃姿勢と、図４に示す脱水姿勢とに姿勢変更できるようになっている。
【００１７】
このモップ１において、各支持体3,4には、図５に示すように、払拭具6を保持するための貫通状の係入孔17〜24を開閉中心側（内側）とそれに離反する側（外側）の前側と後側にそれぞれ形成している。
【００１８】
しかも、各係入孔17〜24は、支持体3,4の開閉中心から離反する側（外側）であって、対向する係入孔17〜24の離反する側（前側の係入孔17〜20の前側、後側の係入孔21〜24の後側）の部分に幅狭の係止爪25〜32を形成している。
【００１９】
一方、払拭具６には、図６に示すように、可撓性及び吸水性を有する多孔質状のスポンジ製の払拭体33の上面に可撓性を有する支持板34を貼着するとともに、この支持板34の上部に支持体3,4の係入孔17〜24に係入する係止片35〜42を開閉中心側（内側）とそれに離反する側（外側）の前側と後側にそれぞれ形成している。
【００２０】
そして、図７に示すように、払拭具６の係止片35〜42を支持体3,4の係入孔17〜24に挿入した後に、払拭具６を外側へ向けて移動させることによって、支持体3,4の係止爪25〜32で係止片35〜42の係止溝43〜50が係止され、これにより、支持体3,4に払拭具６を装着することができる。
【００２１】
一方、支持体3,4に装着された払拭具６を内側へ向けて移動させることによって、支持体3,4の係止爪25〜32と係止片35〜42の係止溝43〜50との係止が解除され、支持体3,4から払拭具６を取外すことができる。
【００２２】
このように、上記モップ１では、払拭具６の裏面に係止片35〜42を形成するとともに、この係止片35〜42を係入するための係入孔17〜24を支持体3,4に形成し、この係入孔17〜24の一部に幅狭の係止爪25〜32を形成して、この係止爪25〜32で係止片35〜42を支持するように構成している。
【００２３】
そのため、上記モップ１では、払拭具６や支持体3,4を精度よく製造しなくても支持体3,4に払拭具６を着脱容易に取付けることができるので、モップ１の製造コストを低減することができる。
【００２４】
また、上記モップ１では、係止爪25〜32を各係入孔17〜24における支持体3,4の開閉中心から離反する側（外側）に形成しているために、操作具７を操作することによって清掃姿勢から脱水姿勢に姿勢変更した際に、折曲された払拭具６の係止爪25〜32には支持体3,4の開閉中心から離反する方向（外側方向）に力が作用することになり、払拭具６の係止片35〜42が支持体3,4の係止爪25〜32に強固に係止されることになり、清掃姿勢から脱水姿勢に姿勢変更した際に払拭具６が支持体3,4から脱落してしまうのを防止することができる。
【００２５】
また、上記モップ１では、係止爪25〜32を前後に対向させて形成した係入孔17〜24の離反する側（前側の係入孔17〜20の前側、後側の係入孔21〜24の後側）に形成しているために、払拭具６を前方或いは後方のいずれの向きで使用しても、払拭具６の係止片35〜42が支持体3,4の係止爪25〜32に係止されることになり、清掃中に払拭具６が支持体3,4から脱落してしまうのを防止することができる。
【００２６】
しかも、上記モップ１では、図６及び図７に示すように、払拭具６の払拭体33を左右に伸延する塊状の払拭具本体51とこの払拭具本体51の下側外周部に形成した払拭片52とで構成している。
【００２７】
この払拭具６は、払拭具本体51の下側外周部に９本のスリット53を前後に間隔をあけて形成することによって、前後に起倒自在の８個の払拭片52を前後に間隔をあけて形成している。
【００２８】
このように、上記モップ１では、塊状の払拭具本体51の外周部に前後方向に向けて起倒する複数の払拭片52を前後に間隔をあけて形成しているために、清掃時に払拭片52が起立状態から前後に傾倒した状態に変形し、前後の払拭片52同士の間に清掃面と密着しない間隙が形成されることになり、従来の塊状の払拭具に比べて払拭具６と清掃面との間の摩擦が小さくなって、清掃面を払拭具６で円滑に払拭することができる。
【図面の簡単な説明】
【００２９】
【図１】本発明に係るモップを示す全体図（(a)正面図、(b)側面図）。
【図２】同正面拡大図（清掃姿勢）。
【図３】同側面拡大図。
【図４】同正面拡大図（脱水姿勢）。
【図５】支持体を示す平面図。
【図６】払拭具を示す全体図（(a)平面図、(b)正面図、(c)側面図）。
【図７】支持体と払拭具の連結状態を示す説明図（(a)平面視、(b)断面視）。
【符号の説明】
【００３０】
１  モップ                                ２  柄
3,4  支持体                               ５  開閉機構
６  払拭具                                ７  操作具
８  操作機構                              ９  保護カバー
10,11  リンク片                           12,13  長孔
14,15  操作リンク                         16  連動体
17〜24  係入孔                            25〜32  係止爪
33  スポンジ                              34  支持板
35〜42  係止片                            43〜50  係止溝
51  払拭具本体                            52  払拭片
53  スリット
【図１】
2008113871.tif 000003
【図２】
2008113871.tif 000004
【図３】
2008113871.tif 000005
【図４】
2008113871.tif 000006
【図５】
2008113871.tif 000007
【図６】
2008113871.tif 000008
【図７】
2008113871.tif 000009